(57)【特許請求の範囲】
【請求項１】
外部装置とシリアル通信でデータの少なくとも受信を行うシリアルデータ処理装置において、
前記外部装置とシリアルデータを少なくとも受信すると共に、受信可能時に送信要求信号を出力するシリアル通信コントローラと、
データを格納する格納部と、
所望のデータ処理を行うと共に、前記シリアル通信コントローラと前記格納部の間の転送処理を行い、前記格納部が格納可能時に送信要求信号を出力するデータ処理部と、
このデータ処理部からの送信要求信号と前記シリアル通信コントローラの送信要求信号の両方を入力したとき、前記外部装置に送信要求信号を出力する送信要求出力手段と
を設けたことを特徴とするシリアルデータ処理装置。
【請求項２】
シリアル通信コントローラは、
外部装置からのシリアルデータを受信する受信用ＦＩＦＯと、
外部装置へシリアルデータを送信する送信用ＦＩＦＯと、
前記受信用ＦＩＦＯのデータ格納量により送信要求信号を出力する通信送信要求部と
を有することを特徴とする請求項１記載のシリアルデータ処理装置。
【請求項３】
データ処理部は、
シリアル通信コントローラのデータを格納部に転送する第１の転送手段と、
格納部のデータをシリアル通信コントローラに転送する第２の転送手段と、
前記格納部の格納量により送信要求信号を出力する送信要求手段と
を有することを特徴とする請求項１または２記載のシリアルデータ処理装置。
【請求項４】
送信要求出力手段は、論理積を出力する論理回路であることを特徴とする請求項１〜３のいずれかに記載のシリアルデータ処理装置。
【発明の詳細な説明】
【０００１】
【発明の属する技術分野】
本発明は、シリアルデータの授受を行うと共に、データ処理を行うシリアルデータ処理装置に関するものであり、詳しくは、高負荷状態でもデータを正確に受信できるシリアルデータ処理装置に関するものである。
【０００２】
【従来の技術】
測定器、パーソナルコンピュータ（以下、パソコンと略す）等のシリアルデータ処理装置は、各装置間を複数の信号線で接続して、シリアルデータの送受信を行う。また、シリアルデータで装置間を通信する方法は、シリアル通信と呼ばれる。このシリアル通信の通信方法の規格には、ＲＳ２３２ＣやＲＳ４２２等があり、この規格に沿ってデータの授受が行われる。
【０００３】
シリアルデータ処理装置は、送信側から送信されたデータを受信するときに、何らかの事情でデータの取りこぼし（以下、オーバーランエラーと略す）を発生することがあるが、このオーバーランエラーを防ぐためにハードウェアで制御する機能が通信規格によって定められ、ＲＳ２３２ＣではＲＴＳ制御と呼ばれる。
【０００４】
具体的には、シリアルデータ処理装置間を接続する信号線の一本の信号レベルを２値信号（ハイレベルまたはロウレベル）で制御して、この２値信号の信号レベルによって送信側がデータ送信を一時的に停止させ、オーバーランエラーの発生を抑える。また、データ送信の制御を行う２値信号はハイレベルが送信要求信号と呼ばれ、ロウレベルが送信不可信号と呼ばれる。
【０００５】
図３は、ＲＳ２３２Ｃを例として、従来のシリアルデータ処理装置の構成例を示した図である。図３において、測定器ＭＩ、パソコンＰＣは、シリアルデータ処理装置であり、複数の信号線ＲＴＳ、ＣＴＳ、ＳＤ、ＲＤによって、それぞれが接続される。ただし、接地用の信号線等の図示は省略している。
【０００６】
また、シリアルデータ処理装置ＭＩ、ＰＣは、シリアル通信のインターフェース部分であるシリアル通信コントローラ１０、受信用バッファ２１、送信用バッファ２２、データ処理部３０を有する。ここで、受信用バッファ２１と送信用バッファ２２は、格納部である。
【０００７】
シリアル通信コントローラ１０は、受信データを格納する記憶部である受信用ＦＩＦＯ（First in First out）１１、送信データを格納する記憶部である送信用ＦＩＦＯ１２、オートアラーム手段１３、２値信号出力手段１４を有し、信号線ＲＴＳ、ＣＴＳ、ＳＤ、ＲＤと接続される。ここで、オートアラーム手段１３と２値信号出力手段１４は、通信送信要求部である。
【０００８】
ここで、測定器ＭＩ側からみると、シリアル通信コントローラ１０は、ＲＴＳ制御用の信号を信号線ＲＴＳに出力し、パソコンＰＣからのＲＴＳ制御用の信号が信号線ＣＴＳを介して入力される。また、パソコンＰＣへの送信データを信号線ＳＤに出力し、パソコンＰＣからの受信データが信号線ＲＤを介して入力される。
【０００９】
受信用ＦＩＦＯ１１は、信号線ＲＤからのデータを格納する。送信用ＦＩＦＯ１２は、信号線ＳＤに出力するデータを格納する。オートアラーム手段１３は、受信用ＦＩＦＯ１１の空き容量、すなわち格納されたデータの量によって、アラーム信号を出力する。２値信号出力手段１４は、アラーム信号によって信号線ＲＴＳにロウレベルまたはハイレベルの信号を出力する。
【００１０】
受信用バッファ２１、送信用バッファ２２のそれぞれは、受信用ＦＩＦＯ１１、送信用ＦＩＦＯ１２よりも大きな容量を持つ。また、受信用バッファ２１、送信用バッファ２２のそれぞれは、受信データ、送信データの格納を行う。
【００１１】
データ処理部３０は、例えば、中央演算処理装置であり、受信データ転送手段（第１の転送手段）３１、送信データ転送手段（第２の転送手段）３２、マニュアルアラーム手段３３を有する。そして、データ処理部３０は、シリアル通信コントローラ１０にＲＴＳ制御のモードを指示すると共に、受信用バッファ２１の空き容量を確認し、シリアル通信コントローラ１０の２値信号出力手段１４にアラーム信号を出力する。また、データ処理部３０は、送信用バッファ２２と受信用ＦＩＦＯ１１のデータを読み出し、読み出したデータを送信用ＦＩＦＯ１２、受信用バッファ２１のそれぞれに格納する。
【００１２】
受信データ転送手段３１は、受信用ＦＩＦＯ１１に格納された受信データを受信用バッファ２１に転送し、格納する。また、送信データ転送手段３２は、送信用バッファ２２に格納された送信データを送信用ＦＩＦＯ１２に転送し、格納する。
【００１３】
マニュアルアラーム手段３３は、受信用バッファ２１の空き容量、すなわち格納されたデータの量によってアラーム信号を、シリアル通信コントローラ１０の２値信号出力手段１４に出力する。
【００１４】
このような装置の動作を説明する。ただし、測定器ＭＩ側からみた動作とし、測定器ＭＩがパソコンＰＣからデータを受信する例を挙げ説明する。図３に示す装置において、送信側のパソコンＰＣが、送信するデータを送信用バッファ２２に格納する。そして、送信データ転送手段３２が、送信用バッファ２２のデータを送信用ＦＩＦＯ１２に転送し、格納する。
【００１５】
そして、パソコンＰＣのシリアル通信コントローラ１０は、送信用ＦＩＦＯ１２に格納されたデータを信号線ＲＤに出力する。ただし、信号線ＲＴＳラインを介して、測定器ＭＩから入力される送信要求信号、送信不可信号に従ってデータ送信を行う。つまり、シリアル通信コントローラ１０は、ロウレベルの送信不可信号ならば直ちにデータの送信を止め、ハイレベルの送信要求信号ならばデータの送信を行う。
【００１６】
一方、受信側の測定器ＭＩのシリアル通信コントローラ１０が、信号線ＲＤを介して受信されるデータを受信用ＦＩＦＯ１１に格納していく。そして、受信データ転送手段３１が、受信用ＦＩＦＯ１１のデータを、受信用バッファ２１に転送し、格納する。さらに、データ処理部３０が、受信用バッファ２１に格納されたデータを読み出し、データ処理やデータ解析等を行う。
【００１７】
さて、パソコンＰＣから送られるデータは、通信コマンドと呼ばれる文字列を、通信規格に従って変換したものであり、この通信コマンドは、短いもので変換後のデータ量が数バイト程度だが、長い通信コマンドでは数十バイトとなる。さらに、この通信コマンドは複数つなげることができ、変換後のデータ量は莫大となり、受信用ＦＩＦＯ１１、受信用バッファ２１の容量よりも大きくなることがある。
【００１８】
受信側のシリアル通信コントローラ１０は、このような多量のデータが一度に送信されても、オーバーランエラーが発生しないようにＲＴＳ制御を行う。このＲＴＳ制御には、オートモードとマニュアルモードの２種類のモードがあり、データ処理部３０からの指示によりモードが決定される。
【００１９】
まず、オートモードにおける図３に示す装置の動作を図４のフローチャートを用いて説明する。パソコンＰＣのシリアル通信コントローラ１０が、測定器ＭＩからの送信要求信号に従って、データを送信する（Ｓ１０）。
【００２０】
測定器ＭＩのシリアル通信コントローラ１０が、信号線ＲＤを介して測定器ＭＩからのデータを１バイト毎受信し、受信用ＦＩＦＯ１１に格納する（Ｓ１１）。そして、オートアラーム手段１３が、受信用ＦＩＦＯ１１の空き容量を確認し、空き容量が所望の量よりも少なく、パソコンＰＣからのデータをさらに受信するとオーバーランエラーを発生する可能性がある場合、オートアラーム手段１３がアラーム信号を出力する（Ｓ１２、Ｓ１３）。このアラーム信号によって、２値信号出力手段１４が信号線ＲＴＳにロウレベルの送信不可信号を出力する（Ｓ１４）。
【００２１】
受信用ＦＩＦＯ１１の空き容量が十分な場合、アラーム信号が出力されないので、２値信号出力手段１４が信号線ＲＴＳにハイレベルの送信要求信号を出力する（Ｓ１２、Ｓ１５）。そして、転送手段３１が、データ処理部３０の指示に従い、受信用ＦＩＦＯ１１のデータを受信用バッファ２１に転送する場合、データ転送後、転送したデータ分だけ受信用ＦＩＦＯ１１をクリアする（Ｓ１６、Ｓ１７）。転送手段３１が受信用ＦＩＦＯ１１のデータを転送しない場合、再び、シリアル通信コントローラ１０が信号線ＲＤからのデータを受信して、受信用ＦＩＦＯ１１に格納し、空き容量の確認をし、信号線ＲＴＳにハイレベルまたはロウベルの信号を出力する（Ｓ１６、Ｓ１１〜Ｓ１５）。そして、パソコンＰＣからのデータが送信されるごとに、図４に示す動作Ｓ１１〜Ｓ１７を繰り返す。
【００２２】
続いて、マニュアルモードにおける図３に示す装置の動作を図５、図６のフローチャートを用いて説明する。パソコンＰＣのシリアル通信コントローラ１０が、測定器ＭＩからの送信要求信号に従って、データを送信する（Ｓ２０）。
【００２３】
測定器ＭＩのシリアル通信コントローラ１０が、信号線ＲＤを介してデータが送信される間、データを１バイト毎受信し、受信用ＦＩＦＯ１１に格納する（Ｓ２１）。そして、パソコンＰＣのデータ送信が終了するまで、受信用ＦＩＦＯに格納を続ける（Ｓ２２、Ｓ２０〜Ｓ２１）。
【００２４】
一方、受信用ＦＩＦＯ１１にデータが格納されると、データ処理部３０のマニュアルアラーム手段３３が、受信用バッファ２１の空き容量を確認し、空き容量が所望の量よりも少なく、受信用ＦＩＦＯ１１からデータがさらに転送されるとオーバーランエラーを発生する可能性がある場合、マニュアルアラーム手段３３はアラーム信号を、シリアル通信コントローラ１０の２値信号出力手段１４に出力する（Ｓ３１、Ｓ３２）。そして、２値信号出力手段１４が信号線ＲＴＳにロウレベルの送信不可信号を出力する（Ｓ３３）
【００２５】
また、データ処理部３０のマニュアルアラーム手段３３が、受信用バッファ２１の空き容量を確認し、空き容量が十分ある場合、アラーム信号が出力されないので、２値信号出力手段１４が信号線ＲＴＳにハイレベルの送信要求信号を出力する（Ｓ３１、Ｓ３４）。そして、転送手段３１が、データ処理部３０の指示により、受信用ＦＩＦＯ１１のデータを受信用バッファ２１に転送後、転送したデータ分だけ受信用ＦＩＦＯ１１をクリアする（Ｓ３５）。ＦＩＦＯ１１の全データの転送が終了したらば、処理を終了する（Ｓ３６）。ＦＩＦＯ１１の全データの転送がまだならば、再び、受信用バッファ２１の空き容量の確認し、信号線ＲＴＳにハイレベルまたはロウレベルの信号を出力し、データの転送を行う（Ｓ３６、Ｓ３１〜Ｓ３５）。
【００２６】
【発明が解決しようとする課題】
このようにシリアルデータ処理装置は、図４〜図６に示すように、マニュアルモードまたはオードモードのどちらかでＲＴＳ制御を行い、オーバーランエラーの発生を抑える。しかし、各モードにおいて、オーバーランエラーが発生する場合がある。このような場合を以下に説明する。
【００２７】
オートモードでは、パソコンＰＣから送信されたデータが、測定器ＭＩの受信用ＦＩＦＯ１１に格納され、その後、受信データ転送手段３１によって受信用バッファ２１へ転送、格納される。そして、データ処理部３０が受信用バッファ２１からデータを読み出しデータ処理する。だが、データ処理部３０が他の処理、例えば、読み出したデータのデータ処理や、データ解析等を行い、高負荷状態にあると、優先順位の高い処理から行われ、受信用バッファ２１のデータ読み出しが遅くなる。その結果、受信用バッファ２１の空き容量が残り少なくなる。しかし、オートモードでは、受信用ＦＩＦＯ１１の空き容量の確認しか行わず、受信用バッファ２１がオーバーしてもＲＴＳ制御がされず、オーバーランエラーが発生する。
【００２８】
また、マニュアルモードでは、パソコンＰＣから送信されたデータは、測定器ＭＩの受信用ＦＩＦＯ１１に格納され、その後、転送手段３１によって受信用バッファ２１へ転送、格納されるが、データ処理部３０が高負荷状態にあると、優先順位の高い処理から行われ、転送手段３１によるデータ転送が中断または遅れる。その結果、受信用ＦＩＦＯ１１の空き容量が残り少なくなる。しかし、マニュアルモードでは、受信用バッファ２１の容量の確認しか行わず、受信用ＦＩＦＯ１１がオーバーしてもＲＴＳ制御がされず、古いデータから順に上書きされオーバーランエラーが発生する。
【００２９】
すなわち、測定器ＭＩのデータ処理部３０が高負荷状態となると、オーバーランエラーが発生してしまう可能性が非常に高い。
【００３０】
また、シリアル通信コントローラ１０は、汎用ＩＣが用いられることが多く、マニュアルモードまたはオートモードのどちらか一方にしか設定することができい。そして、オートモードでは、マニュアルアラーム手段３３からのアラーム信号を２値信号出力手段１４が受けつけることができなず、マニュアルモードでは、オートアラーム手段１３がアラーム信号の出力を行わない。
【００３１】
そこで本発明の目的は、高負荷状態でもデータを正確に受信できるシリアルデータ処理装置を実現することにある。
【００３２】
【課題を解決するための手段】
請求項１記載の発明は、
外部装置とシリアル通信でデータの少なくとも受信を行うシリアルデータ処理装置において、
前記外部装置とシリアルデータを少なくとも受信すると共に、受信可能時に送信要求信号を出力するシリアル通信コントローラと、
データを格納する格納部と、
所望のデータ処理を行うと共に、前記シリアル通信コントローラと前記格納部の間の転送処理を行い、前記格納部が格納可能時に送信要求信号を出力するデータ処理部と、
このデータ処理部からの送信要求信号と前記シリアル通信コントローラの送信要求信号の両方を入力したとき、前記外部装置に送信要求信号を出力する送信要求出力手段と
を設けたことを特徴とするものである。
【００３３】
請求項２記載の発明は、請求項１記載の発明において、
シリアル通信コントローラは、
外部装置からのシリアルデータを受信する受信用ＦＩＦＯと、
外部装置へシリアルデータを送信する送信用ＦＩＦＯと、
前記受信用ＦＩＦＯのデータ格納量により送信要求信号を出力する通信送信要求部と
を有することを特徴とするものである。
【００３４】
請求項３記載の発明は、請求項１または２記載の発明において、
データ処理部は、
シリアル通信コントローラのデータを格納部に転送する第１の転送手段と、
格納部のデータをシリアル通信コントローラに転送する第２の転送手段と、
前記格納部の格納量により送信要求信号を出力する送信要求手段と
を有することを特徴とするものである。
【００３５】
請求項４記載の発明は、請求項１〜３のいずれかに記載の発明において、
送信要求出力手段は、論理積を出力する論理回路であることを特徴とするものである。
【００３６】
【発明の実施の形態】
以下図面を用いて本発明の実施の形態を説明する。
図１は本発明の実施例を示した構成図である。ここで、図３と同一のものは同一符号を付し、説明を省略すると共に、パソコンＰＣ側の図示は省略する。図１において、データ処理部３０に２値信号出力手段３４が設けられ、この２値信号出力手段３４とマニュアルアラーム手段３３が送信要求手段である。また、シリアル通信コントローラ１０の２値信号出力手段１４と信号線ＲＴＳの間にＡＮＤゲート（送信要求出力手段）４０が新たに設けられる。
【００３７】
２値信号出力手段３４は、マニュアルアラーム手段３３からのアラーム信号に基づき、２値信号を出力する。ＡＮＤゲート４０は、２値信号出力手段１４、３４からの信号の論理積をとり、この論理結果を信号線ＲＴＳに出力する。
【００３８】
続いて、図１に示す装置の動作を説明する。図１において、データ処理部３０は、シリアル通信コントローラ１０をオートモードに設定すると共に、マニュアルアラーム手段３３にマニュアルモード時と同様の動作をするように指示を出す。
【００３９】
つまり、オートアラーム手段１３が受信用ＦＩＦＯ１１の空き容量を確認し、アラーム信号を２値信号出力手段１４に出力する。そして、２値信号出力手段１４が、アラーム信号によって、ハイレベルの送信要求信号またはロウレベルの送信不可信号をＡＮＤゲート４０に出力する。
【００４０】
また、マニュアルアラーム手段３３が受信用バッファ２１の空き容量によってアラーム信号を、２値信号出力手段３４に出力する。そして、２値信号出力手段３４が、アラーム信号によって、ハイレベルの送信要求信号またはロウレベルの送信不可信号をＡＮＤゲート４０に出力する。
【００４１】
さらにＡＮＤゲート４０が、２値信号出力手段１４、３４の出力の論理積を取り、その結果を信号線ＲＴＳにハイレベルの送信要求信号またはロウレベルの送信不可信号として出力する。
【００４２】
さらに詳細に２値信号出力手段１４、３４、およびＡＮＤゲート４０の出力信号の状態を図２に示す。図２において、ケース（ｉ）は、受信用ＦＩＦＯ１１、および受信用バッファ２１共に空き容量が十分にある場合である。この場合、オートアラーム手段１３、マニュアルアラーム手段３３からアラーム信号が出力されないので、２値信号出力手段１４、３４の出力は共にハイレベルとなる。従ってＡＮＤゲート４０の出力もハイレベルとなり、パソコンＰＣからデータが送信され、測定器ＭＩの受信用ＦＩＦＯ１１にデータが受信される。
【００４３】
ケース（ｉｉ）の場合、受信用ＦＩＦＯ１１は空き容量が十分にあるが、受信用バッファ２１は空き容量が少ない場合である。この場合、マニュアルアラーム手段３３のみからアラーム信号が出力され、２値信号出力手段１４の出力はハイレベル、２値信号出力手段３４の出力はロウレベルとなる。従ってＡＮＤゲート４０の出力はロウレベルとなり、パソコンＰＣからのデータ送信が一時停止される。
【００４４】
ケース（ｉｉｉ）の場合、受信用ＦＩＦＯ１１は空き容量が少なく、受信用バッファ２１は空き容量が十分にある場合である。この場合、オートアラーム手段１３のみからアラーム信号が出力され、２値信号出力手段１４の出力はロウレベル、２値信号出力手段３４の出力はハイレベルとなる。従ってＡＮＤゲート４０の出力はロウレベルとなり、パソコンＰＣからデータ送信が一時停止される。
【００４５】
ケース（ｉｖ）の場合、受信用ＦＩＦＯ１１、および受信用バッファ２１共に空き容量が少ない場合である。この場合、オートアラーム手段１３およびマニュアルアラーム手段３３からアラーム信号が出力され、２値信号出力手段１４、３４共に出力はロウレベルとなる。従ってＡＮＤゲート４０の出力もロウレベルとなり、パソコンＰＣからのデータ送信が一時停止される。
【００４６】
そして、オートモードであっても、マニュアルアラーム手段３３が受信用バッファ２１の空き容量の確認をし、ＡＮＤゲート４０が、オートアラーム手段１３、マニュアルアラーム手段３３からのアラーム信号に従って信号線ＲＴＳにハイレベルまたはロウレベルの信号を出力する動作以外は、図３に示す装置と同様なので説明を省略する。
【００４７】
このように、オートアラーム手段１３、マニュアルアラーム手段３３それぞれが、受信用ＦＩＦＯ１１、受信用バッファ２１の空き容量を確認し、アラーム信号を２値信号出力手段１４、３４に出力する。そして、２値信号出力手段１４、３４がアラーム信号によってロウレベルまたはハイレベルの信号を出力する。さらに、ＡＮＤゲート４０が２値信号出力手段１４、３４からの２値信号の論理積をした結果を信号線ＲＴＳに出力するので、少なくともどちらか一方の空き容量が少なくなると、パソコンＰＣのデータ送信を止めることができる。これにより、高負荷状態で受信用ＦＩＦＯ１１、受信用バッファ２１の空き容量が少なくなってもオーバーランエラーを発生しない。従って、高負荷状態でもデータを正確に受信できる。
【００４８】
また、ＡＮＤゲート４０と、データ処理部３０に２値信号出力手段３４とを設けたので、シリアル通信のインターフェース部分であるシリアル通信コントローラ１０が汎用のＩＣであっても、オーバーランエラーの発生を抑えることができる。これにより、インターフェース部分に特別なＩＣを用いる必要が無く、コストを抑えることができる。
【００４９】
さらに、２値信号出力手段１４、３４それぞれからの２値信号をデータ処理部３０、シリアル通信コントローラ１０とは別に設けたＡＮＤ回路で論理演算し、信号線ＲＴＳに出力するので、シリアル通信コントローラ１０、およびデータ処理部３０の負荷状態に影響されずに信号を出力することができる。従って、高負荷状態でもデータを正確に受信できる。
【００５０】
なお、本発明はこれに限定されるものではなく、以下のようなものでもよい。測定器１０は、送受信を行える構成としたが、例えば、測定器１０が、パソコンＰＣからデータの受信のみを行う場合、送信に関連する機能、送信用ＦＩＦＯ１２、送信用バッファ２２、送信データ転送手段３２を設けなくともよい。
【００５１】
また、２値信号出力手段１４、３４、ＡＮＤゲート４０は、ＲＳ２３２Ｃの規格に従い、送信側の送信データを止める場合、信号線ＲＴＳへの信号レベルをロウレベルとする構成を示したが、信号線ＲＴＳへの信号レベルを独自の規格とする場合、２値信号出力手段１４、３４の信号レベル、送信要求出力手段はそれぞれ、所望の信号レベル、所望の論理演算を行うようにしてもよい
【００５２】
【発明の効果】
本発明によれば、シリアル通信コントローラが、受信可能時に送信要求信号を出力し、データ処理部が、格納部が格納可能時に送信要求信号を出力し、これらの送信要求信号の両方を入力したとき、送信要求出力手段が外部装置に送信要求信号を出力するので、外部装置からのデータ送信を止めることができる。これにより、データ処理やデータ転送が送れてもオーバーランエラーを防止できる。すなわち、高負荷状態でもデータを正確に受信できる。
【図面の簡単な説明】
【図１】本発明の実施例を示した構成図である。
【図２】ＡＮＤゲート４０への入力信号およびこの入力信号に対する出力信号の関係を表した図である。
【図３】従来のシリアルデータ処理装置の構成図である。
【図４】オートモードにおけるデータ受信の動作を示したフローチャートである。
【図５】マニュアルモードにおけるパソコンＰＣからのデータを受信用ＦＩＦＯ１１に格納する動作を示したフローチャートである。
【図６】マニュアルモードにおけるデータ受信後の動作を示したフローチャートである。
【符号の説明】
ＭＩ  測定器（シリアルデータ処理装置）
ＰＣ  パソコン（シリアルデータ処理装置）
１０  シリアル通信コントローラ
１１  受信用ＦＩＦＯ
１２  送信用ＦＩＦＯ
１３  オートアラーム手段
１４、３４  ２値信号出力手段
２１  受信用バッファ
２２  送信用バッファ
３０  データ処理部
３１  受信データ転送手段（第１の転送手段）
３２  送信データ転送手段（第２の転送手段）
３３  マニュアルアラーム手段
４０  ＡＮＤゲート（送信要求出力手段）
【図１】
0003726769.tif 000002
【図２】
0003726769.tif 000003
【図３】
0003726769.tif 000004
【図４】
0003726769.tif 000005
【図５】
0003726769.tif 000006
【図６】
0003726769.tif 000007